(57)【要約】【課題】間接照明光の光学ロスを低減することが可能な照明装置を提供する。【解決手段】実施形態の一例である照明装置１０は、軸方向一端が開口した筒状に形成され、当該開口を下方に向けた状態で天井１００の埋め込み穴１０３に挿入される装置本体１１と、装置本体１１の内部に設けられた主照明光発光部２０と、装置本体１１の外部に設けられた間接照明光発光部３０とを備える。装置本体１１は、天井面１０１よりも下方に突き出し、開口に向かって末広がりとなる形状をなし、第２発光モジュール３１から出射される光の照射方向を天井面１０１および天井面１０１に沿った方向とする突出部１２を有する。第２発光モジュール３１は、装置本体１１が埋め込み穴１０３に挿入された状態で天井面１０１と突出部１２との間に形成される空間５０に設けられている。【選択図】図１
2018147779.tif 000002
【特許請求の範囲】
【請求項１】
軸方向一端が開口した筒状に形成され、当該開口を下方に向けた状態で天井の埋め込み穴に挿入される装置本体と、
前記装置本体の内部に設けられた第１の発光部と、
前記装置本体の外部に設けられた第２の発光部と、
を備え、
前記第１の発光部は、第１発光モジュールを有し、
前記第２の発光部は、第２発光モジュールを有し、
前記装置本体は、天井面よりも下方に突き出し、前記開口に向かって末広がりとなる形状をなし、前記第２発光モジュールから出射される光の照射方向を前記天井面および前記天井面に沿った方向とする突出部を有し、
前記第２発光モジュールは、前記装置本体が前記埋め込み穴に挿入された状態で前記天井面と前記突出部との間に形成される空間に設けられている、照明装置。
【請求項２】
前記天井面と前記突出部との間に形成される前記空間において前記第２発光モジュールよりも前記装置本体の径方向外側に設けられ、前記第２発光モジュールから出射される光を透過または拡散透過させる透光部材を備える、請求項１に記載の照明装置。
【請求項３】
前記天井面と前記突出部との間に形成される前記空間において前記装置本体の周方向に沿って設けられた鍔部を備え、
前記第２発光モジュールは、前記鍔部の下面に取り付けられ、
前記突出部の前記天井面側に向いた面が前記第２発光モジュールから出射される光の反射面として機能する、請求項１または２に記載の照明装置。
【請求項４】
前記天井面と前記突出部との間に形成される前記空間において前記装置本体の周方向に沿って設けられた鍔部を備え、
前記第２発光モジュールは、前記突出部の前記天井面側に向いた面に取り付けられ、
前記鍔部の下面が前記第２発光モジュールから出射される光の反射面として機能する、請求項１または２に記載の照明装置。
【請求項５】
前記第２発光モジュールは、前記天井面と前記突出部との間に形成される前記空間において前記装置本体の径方向外側を向いた状態で設けられている、請求項１または２に記載の照明装置。
【請求項６】
前記第２の発光部の最大光束は、前記第１の発光部の最大光束と同等か、またはそれ以上である、請求項１〜５のいずれか１項に記載の照明装置。
【請求項７】
前記第２発光モジュールは、前記装置本体の周方向に沿って設けられている、請求項１〜６のいずれか１項に記載の照明装置。
【請求項８】
前記第２発光モジュールは、半導体発光素子を含み、
前記第２発光モジュールの前記半導体発光素子は、前記装置本体の周方向に並んで複数設けられている、請求項１〜７のいずれか１項に記載の照明装置。
【発明の詳細な説明】
【技術分野】
【０００１】
本開示は、照明装置に関する。
【背景技術】
【０００２】
特許文献１には、装置本体内に架設された遮光壁により、主照明用の発光モジュールが収容される空間と、間接照明用の発光モジュールが収容される空間とが仕切られた天井埋め込み型の照明装置が開示されている。この照明装置では、間接照明用の発光モジュールが主照明用の発光モジュールの発光面よりも前方に配置されている。間接照明用の発光モジュールから出射される光は、遮光壁によって、主照明用の発光モジュールから出射される光の照射方向と異なる方向に転換される。
【先行技術文献】
【特許文献】
【０００３】
【特許文献１】特開２０１６−２１３０８号公報
【発明の概要】
【発明が解決しようとする課題】
【０００４】
ところで、主照明用と間接照明用の各発光モジュールを備える天井埋め込み型の照明装置において、間接照明光の光学ロスを少なくすることは重要な課題である。特許文献１の照明装置は、この点について改良の余地がある。
【課題を解決するための手段】
【０００５】
本開示の一態様である照明装置は、軸方向一端が開口した筒状に形成され、当該開口を下方に向けた状態で天井の埋め込み穴に挿入される装置本体と、前記装置本体の内部に設けられた第１の発光部と、前記装置本体の外部に設けられた第２の発光部とを備え、前記第１の発光部は、第１発光モジュールを有し、前記第２の発光部は、第２発光モジュールを有し、前記装置本体は、天井面よりも下方に突き出し、前記開口に向かって末広がりとなる形状をなし、前記第２発光モジュールから出射される光の照射方向を前記天井面および前記天井面に沿った方向とする突出部を有し、前記第２発光モジュールは、前記装置本体が前記埋め込み穴に挿入された状態で前記天井面と前記突出部との間に形成される空間に設けられていることを特徴とする。
【発明の効果】
【０００６】
本開示の一態様である照明装置によれば、第２発光モジュールから出射面までの距離を短くできるので、第２発光モジュールから出射される光の光学ロスを低減することが可能である。
【図面の簡単な説明】
【０００７】
【図１】実施形態の一例である照明装置の断面図である。
【図２】実施形態の一例である照明装置を上方から見た斜視図である。
【図３】実施形態の一例である照明装置を下方から見た斜視図である。
【図４】実施形態の他の一例である照明装置の断面図である。
【図５】実施形態の他の一例である照明装置の断面図である。
【図６】実施形態の他の一例である照明装置の断面図である。
【図７】実施形態の他の一例である照明装置の断面図である。
【発明を実施するための形態】
【０００８】
以下、図面を参照しながら、本開示に係る照明装置の実施形態の一例について詳細に説明する。実施形態の説明で参照する図面は模式的に記載されたものであるから、各構成要素の寸法比率などは以下の説明を参酌して判断されるべきである。なお、本明細書において、「略〜」との記載は、略平行を例に説明すると、完全に平行はもとより、実質的に平行と認められるものを含む意図である。
【０００９】
以下では、実施形態の一例である照明装置１０が、住居の室内において水平な天井１００に取り付けられるものとして説明するが、照明装置１０は水平方向および鉛直方向に対して傾斜した天井に取り付けることも可能である。また、照明装置１０は住居の廊下、玄関などの天井、或いは図書館等の公共施設、デパート等の商業施設、オフィス、店舗などの天井に取り付けることもできる。照明装置１０が取り付けられる天井は、建築空間の上方を区画する部位であればよく、例えば玄関ポーチ、テラスなどの天井であってもよい。
【００１０】
図１は、照明装置１０の断面図であって、照明装置１０を天井１００に取り付けた状態を示す（図１では、取り付け金具４０の図示省略）。図２は照明装置１０を上方から見た斜視図、図３は照明装置１０を下方から見た斜視図である。なお、図３は透光部材３５を取り外した状態を示す。
【００１１】
図１〜図３に例示するように、照明装置１０は、軸方向一端が開口した筒状に形成され、当該開口を下方に向けた状態で天井１００の埋め込み穴１０３に挿入される装置本体１１を備える。また、照明装置１０は、第１発光モジュール２１を有する主照明光発光部２０（第１の発光部）と、第２発光モジュール３１を有する間接照明光発光部３０（第２の発光部）とを備える。装置本体１１は、天井面１０１よりも下方に突き出し、開口に向かって末広がりとなる形状をなし、間接照明光発光部３０の第２発光モジュール３１から出射される光の照射方向を天井面１０１および天井面１０１に沿った方向とする突出部１２を有する。なお、照明装置１０は、主照明光発光部２０および間接照明光発光部３０の各発光モジュールに電力を供給する点灯装置（図示せず）を備える。
【００１２】
ここで、天井面１０１とは、天井１００の鉛直下方を向いた面を意味する。また、埋め込み穴１０３は、装置本体１１の一部を挿入可能な穴であって、例えば天井１００を構成する天井板を貫通して形成された略真円形状の貫通穴である。天井１００の上には、上記点灯装置を配置でき、装置本体１１を挿入可能な天井裏空間１０２が形成されている。装置本体１１の直径は、突出部１２において埋め込み穴１０３の直径よりも大きくなっている。
【００１３】
照明装置１０は、室内空間を直接照らす主照明光と、天井面１０１および壁面上部の少なくとも一方を照らす間接照明光とを照射可能な天井埋め込み型の照明装置である。主照明光は、部屋の床面、机上面などに直接照射される。一方、間接照明光は、天井面１０１等に照射され、天井面１０１等からの反射光で室内を明るくする。照明装置１０において、主照明光は主照明光発光部２０から出射され、間接照明光は間接照明光発光部３０から出射される。
【００１４】
詳しくは後述するが、間接照明光発光部３０の第２発光モジュール３１は、装置本体１１が埋め込み穴１０３に挿入された状態で天井面１０１と突出部１２との間に形成される空間５０に設けられている。
【００１５】
照明装置１０は、装置本体１１に固定される取り付け金具４０（図２および図３参照）を用いて天井１００に固定される。装置本体１１は、軸方向一端（以下、「下端」という場合がある）が開口した筒状体であって、筒壁部１３と、軸方向他端（以下、「上端」という場合がある）に形成された天板部１４とを有する。取り付け金具４０は、天板部１４に固定される板状のベース部４１と、ベース部４１から延びる２つのアーム部４２と、各アーム部４２に固定された２つの取り付けバネ４３とで構成されている。ベース部４１は、ネジ等の締結部材４４を用いて天板部１４に固定される。
【００１６】
２つのアーム部４２は、ベース部４１の端から下方に延び、装置本体１１を挟んで対向配置されている。２つの取り付けバネ４３は、板バネ構造を有し、各アーム部４２の下端部に固定されて水平方向に延びている。そして、取り付けバネ４３が、天井裏空間１０２において天井１００の埋め込み穴１０３の周囲に当接することで照明装置１０を支持している。なお、取り付け金具４０の構造は特に限定されない。
【００１７】
本実施形態では、第１発光モジュール２１を含む主照明光発光部２０の全体が、天井裏空間１０２に挿入された装置本体１１の上部において、装置本体１１の内部に設けられている。また、第２発光モジュール３１を含む間接照明光発光部３０の全体が、装置本体１１が埋め込み穴１０３に挿入された状態で天井面１０１と突出部１２との間に形成される空間５０に設けられている。なお、主照明光発光部２０の一部を装置本体１１の外部に設けることは可能である。
【００１８】
以下、照明装置１０を構成する装置本体１１、主照明光発光部２０、および間接照明光発光部３０について詳説する。
【００１９】
装置本体１１は、内部に主照明用の光が照射される筒状体であって、装置本体１１の内部空間が主照明光発光部２０の導光路を構成している。装置本体１１は、軸方向に垂直な断面が略真円形状の円筒状部材であって、下端の開口に近づくほど次第に拡径した末広がりの形状を有することが好ましい。装置本体１１の筒壁部１３は、この末広がり形状に対応して装置本体１１の内側に凸となるように湾曲している。装置本体１１の上端に形成された天板部１４は、平面視略真円形状を有する。装置本体１１の外側には、間接照明光発光部３０の設置に支障がない範囲で、複数の放熱フィンが設けられていてもよい。なお、装置本体１１は、円筒形状に限定されず、軸方向に垂直な断面が矩形形状を有する筒状部材であってもよい。
【００２０】
装置本体１１は、例えばアルミニウム、鉄等を主成分とする金属材料を、プレス加工、ヘラ絞り加工、またはダイカスト成形して製造される。装置本体１１の内側に向いた筒壁部１３の第１面１３Ａは、主照明光発光部２０から出射される光の反射面として機能する。第１面１３Ａには、光の反射率を高めるために、蒸着、メッキ、スパッタリング等により金属層が形成されていてもよく、研磨等により鏡面仕上げされていてもよい。また、第１面１３Ａには白色顔料を含有する白色の塗膜が形成されていてもよい。
【００２１】
装置本体１１は、上述の通り、天井面１０１よりも下方に突き出し、開口に向かって末広がりとなる突出部１２を有する。突出部１２は、装置本体１１の全周にわたって形成される。装置本体１１は、突出部１２で拡径の程度が大きく、突出部１２の下端に近づくほど径方向外側に大きく張り出している。すなわち、突出部１２の直径は、上部よりも下部で大きくなっている。以下では、突出部１２の径方向外側の端を突出部１２の「先端」といい、先端およびその近傍を「先端部」という。
【００２２】
筒壁部１３は、突出部１２で大きく湾曲している。筒壁部１３の第１面１３Ａは、装置本体１１の上部では径方向内側を向いているが、突出部１２の下端（先端）に近づくにつれて鉛直下方を向くようになり、突出部１２の先端部では天井面１０１と略平行になっている。また、装置本体１１の外側を向いた筒壁部１３の第２面１３Ｂは、突出部１２の先端に近づくにつれて天井面１０１側を向くようになる。
【００２３】
突出部１２は、天井面１０１との間に隙間をあけて配置されている。この隙間が、間接照明光発光部３０が設置される空間５０となる。空間５０は、装置本体１１の周方向に沿って形成されるリング状の空間である。本実施形態では、装置本体１１の筒壁部１３が突出部１２で大きく湾曲しているため、空間５０は突出部１２の先端に近づくほど広くなっている。空間５０の広さは、突出部１２の突出高ｈ12、筒壁部１３の形状等を変更することで拡大または縮小できる。
【００２４】
突出部１２は、第２発光モジュール３１の真下に対応する位置を超えて水平方向に張り出している。このように突出部１２が張り出すことで、第２発光モジュール３１の光が主照明光のように鉛直下方に照射されることを防止できる。天井面１０１と突出部１２に囲まれた空間５０は、突出部１２の全周にわたって突出部１２の径方向外側に開放されている。このため、第２発光モジュール３１の光は、突出部１２の全周から径方向外側に出射され、天井面１０１および壁面上部の少なくとも一方に照射される。
【００２５】
つまり、第２発光モジュール３１から出射される光は、装置本体１１の突出部１２によって照射方向が天井面１０１および天井面１０１に沿った方向に規制され、天井面１０１等に照射される間接照明光となる。一方、第１発光モジュール２１から出射される光は、突出部１２によって遮られないので、鉛直下方に照射される主照明光となる。
【００２６】
装置本体１１は、突出部１２の上部に形成された張り出し部１５を有することが好ましい。張り出し部１５は、筒壁部１３の第２面１３Ｂ（以下、突出部１２における筒壁部１３の第２面１３Ｂを「突出部１２の第２面１３Ｂ」という場合がある）が径方向外側に張り出した部分であって、装置本体１１の全周にわたってリング状に形成される。
【００２７】
突出部１２には、後述する鍔部３４の固定に使用される支柱１６（図３参照）が形成されていてもよい。支柱１６は、突出部１２の第２面１３Ｂが張り出し部１５よりも下部で径方向外側に張り出した部分であって、突出部１２の周方向に沿って複数形成される。複数の支柱１６が存在する場合、突出部１２の周方向に離れた少なくとも３箇所に支柱１６を形成することが好ましい。
【００２８】
突出部１２には、後述する透光部材３５の固定に使用される溝１７が形成されていてもよい。溝１７は、筒壁部１３の第２面１３Ｂにおいて、第２発光モジュール３１の真下に対応する部分よりも突出部１２の径方向外側に形成される。好ましくは、突出部１２の全周にわたって突出部１２の先端部に溝１７が形成される。溝１７には、突出部１２と透光部材３５との隙間を塞ぐためのパッキン１８が設けられていてもよい。
【００２９】
照明装置１０は、上述の通り、装置本体１１の内部に光を出射する主照明用の第１発光モジュール２１を含む主照明光発光部２０と、装置本体１１の外部に設けられた間接照明用の第２発光モジュール３１を含む間接照明光発光部３０とを備える。
【００３０】
主照明光発光部２０は、第１発光モジュール２１の他に、第１発光モジュール２１を保持するホルダ２４、およびホルダ２４に係合されるカバー２５を含むことが好ましい。本実施形態では、装置本体１１の内部に第１発光モジュール２１が配置されるため、点灯装置につながるリード線は装置本体１１の内部に引き込まれる。例えば、装置本体１１の天板部１４にはリード線を挿通する貫通穴が形成されている。
【００３１】
第１発光モジュール２１は、第１基板２３に実装された第１発光素子２２を有する。好適な第１発光素子２２は、半導体発光素子であって、中でもＬＥＤ（Ｌｉｇｈｔ  Ｅｍｉｔｔｉｎｇ  Ｄｉｏｄｅ）が好ましい。第１発光モジュール２１は、例えば蛍光体を用いてＬＥＤの青色光の一部をより長波長の光に変換し、青色光の残りの一部と混色することで白色光を出射する。以下、第１発光素子２２はＬＥＤとする。
【００３２】
ホルダ２４は、底部中央に開口が形成された有底円筒形状を有し、図示しないネジを用いて装置本体１１の天板部１４に固定される。第１発光モジュール２１は、底部中央の開口を通して光が照射されるように、第１発光素子２２が実装された第１基板２３の面を下に向けてホルダ２４内に配置される。
【００３３】
カバー２５は、ホルダ２４を収容可能な有底円筒形状を有する。カバー２５は、透明な部材であってもよいが、好ましくは光拡散用のフィラーまたはボイドを含有する乳白色の樹脂製透光部材である。カバー２５は、第１発光モジュール２１を保護すると共に、第１発光モジュール２１から出射される光を拡散透過させる機能を有する。または、カバー２５は透明部材であって、カバー２５の入射面と出射面とで光を成形するレンズ機能を有していてもよい。
【００３４】
主照明光発光部２０から出射される光は、装置本体１１の開口から下方に向かって照射される主照明光となる。照明装置１０では、装置本体１１の開口に沿った面が主照明光の出射面となる。主照明光発光部２０から出射される光の一部は、筒壁部１３の第１面１３Ａにあたって反射された後、当該出射面から装置外部に出射される。
【００３５】
本実施形態では、筒壁部１３の第１面１３Ａのうち突出部１２の先端部に対応する領域（先端領域）が天井面１０１と略平行であるから、第１面１３Ａの先端領域には、主照明光発光部２０の光は照射されない。このため、主照明光の照射時において、第１面１３Ａの先端領域と、天井面１０１のうち突出部１２の影になって光が照射されない照明装置１０の周囲の領域とが一連の暗部としてつながって見える。この場合、突出部１２の出っ張りを感じ難くなるという効果が得られる。
【００３６】
間接照明光発光部３０は、第２発光モジュール３１の他に、天井面１０１に沿うように設けられる鍔部３４と、第２発光モジュール３１よりも装置本体１１の径方向外側に設けられる透光部材３５とを含むことが好ましい。点灯装置につながるリード線は、例えば天井１００の埋め込み穴１０３を通って空間５０に引き込まれ、第２発光モジュール３１に接続される。
【００３７】
間接照明光発光部３０は、上述の通り、第２発光モジュール３１を含む発光部全体が天井面１０１と突出部１２に囲まれたリング状の空間５０に設置されている。空間５０は突出部１２の全周にわたって突出部１２の径方向外側に開放されているから、第２発光モジュール３１の光は突出部１２の全周から出射され、突出部１２の先端に対応する位置に間接照明光の出射面が形成される。本実施形態では、透光部材３５の径方向外側に向いた面が間接照明光の出射面となる。
【００３８】
照明装置１０によれば、第２発光モジュール３１を天井面１０１の下に設けることで、例えば装置本体１１の上部に第２発光モジュール３１を配置する場合と比べて、第２発光モジュール３１から出射面までの距離を大幅に短くできる。このため、間接照明光の光学ロスを低減することが可能である。また、第２発光モジュール３１の放熱性は、当該モジュールを天井裏空間１０２に配置する場合と比べて良好である。さらに、第１発光モジュール２１と第２発光モジュール３１は離れて配置されているので、互いの熱的影響が小さいという利点もある。
【００３９】
第２発光モジュール３１は、第２基板３３に実装された第２発光素子３２を有する。好適な第２発光素子３２は、第１発光素子２２と同様に、半導体発光素子であって、中でもＬＥＤが好ましい。第２発光モジュール３１についても、例えば蛍光体を用いてＬＥＤの青色光の一部をより長波長の光に変換し、青色光の残りの一部と混色することで白色光を出射する。以下、第２発光素子３２はＬＥＤとする。
【００４０】
第２発光モジュール３１は、装置本体１１の周方向に沿って設けられている。好ましくは、装置本体１１の全周にわたって、換言すると空間５０の全周にわたって第２発光モジュール３１が設けられる。ＬＥＤである第２発光素子３２は、例えば中空円板状の第２基板３３に実装され、装置本体１１の周方向に並んで複数設けられる。第２発光素子３２は、装置本体１１の周方向に略一定の間隔で配置されることが好ましい。この場合、照明装置１０の周囲に均一な間接照明光を照射することが容易になる。
【００４１】
間接照明光発光部３０から出射される間接照明光の明るさは、主照明光発光部２０から出射される主照明光の明るさと同等か、またはそれ以上であってもよい。例えば、間接照明光発光部３０の最大光束は、主照明光発光部２０の最大光束と同等か、それ以上である。すなわち、第２発光モジュール３１の発光により得られる間接照明光発光部３０の最大光束が、第１発光モジュール２１の発光により得られる主照明光発光部２０の最大光束と同等か、それ以上である。従来の照明装置は間接照明光の明るさが主照明光の明るさよりも抑えられた設計であるが、照明装置１０は、間接照明光で天井面１０１および壁面上部の少なくとも一方を強く照らし、間接照明光で部屋全体を明るくするように構成されていてもよい。なお、各発光モジュールに電力を供給する点灯装置（図示せず）は調光機能を有していてもよい。
【００４２】
ここで、最大光束とは各発光モジュールの出力を最大としたときの光束を意味する。各発光部の光束は、積分球またはゴニオメーターと照度計などを用いて測定される。
【００４３】
照明装置１０は、主照明光と間接照明光を同時に照射することもできるが、一般的には主照明光と間接照明光を切り替えて使用することを想定している。このため、照明装置１０は、第１発光モジュール２１と第２発光モジュール３１とが同時に発光しないように構成されていてもよい。
【００４４】
間接照明光発光部３０を構成する鍔部３４は、空間５０において、装置本体１１の径方向外側に張り出した部分である。但し、鍔部３４は、突出部１２の先端よりも径方向外側に張り出さないように装置本体１１に設けられることが好ましい。鍔部３４は、装置本体１１の周方向に沿って設けられる。好ましくは、装置本体１１の全周にわたって、換言すると空間５０の全周にわたって鍔部３４が設けられる。
【００４５】
本実施形態では、鍔部３４の突出部１２側を向いた下面３４Ａに第２発光モジュール３１が取り付けられている。下面３４Ａの第２発光モジュール３１が取り付けられる部分は平坦であるから、第２発光モジュール３１の取り付けが容易である。第２発光モジュール３１は、第２発光素子３２が実装された第２基板３３の面を下に向けた状態で、ネジ等の締結部材３６（図２および図３参照）を用いて鍔部３４に固定できる。第２発光モジュール３１は、透光部材３５と干渉しないように、鍔部３４の外周部から離れた径方向内側に固定される。
【００４６】
鍔部３４は、天井面１０１に近接配置されることが好ましい。鍔部３４は、例えば第２基板３３と同様の中空円板状部材を天板部１４側から装置本体１１に嵌めて固定することで設けられる。鍔部３４は、装置本体１１の支柱１６に載せられ、ネジ等の締結部材３７（図２参照）を用いて支柱１６に固定されている。鍔部３４の下面３４Ａに固定された第２発光モジュール３１は、天井面１０１と略平行に配置され、所定の隙間をあけて突出部１２の第２面１３Ｂと対向している。
【００４７】
鍔部３４の下面３４Ａに第２発光モジュール３１が固定される場合、突出部１２の天井面１０１側を向いた面、すなわち第２発光モジュール３１と対向する第２面１３Ｂが、第２発光モジュール３１から出射される光の反射面として機能する。第２発光モジュール３１から出射される光は、例えば湾曲した第２面１３Ｂで反射され、突出部１２の全周から水平方向に向かって出射される。第２面１３Ｂの反射面として機能する部分には、第１面１３Ａと同様に、金属膜が形成されていてもよく、研磨等により鏡面仕上げされていてもよい。また、白色の塗膜が形成されていてもよい。
【００４８】
本実施形態では、鍔部３４の天井面１０１側を向いた上面３４Ｂと天井面１０１との間に、締結部材３６，３７と天井面１０１との干渉を避けるための凹部３８が形成されている。鍔部３４には、第２発光モジュール３１が固定される部分と外周部との間に段差が形成されており、第２発光モジュール３１が固定される部分で上面３４Ｂの高さが低くなっている。このため、第２発光モジュール３１が固定される部分の上面３４Ｂと天井面１０１との間に凹部３８が形成される。
【００４９】
間接照明光発光部３０を構成する透光部材３５は、空間５０において、第２発光モジュール３１よりも装置本体１１の径方向外側に設けられ、第２発光モジュール３１から出射する光を透過または拡散透過させる部材である。また、透光部材３５は第２発光モジュール３１を保護するカバーとして機能する。
【００５０】
透光部材３５は、突出部１２の最大径と略同等の直径を有する円筒状部材であって、突出部１２の先端部に固定されることが好ましい。本実施形態では、透光部材３５の下端部が突出部１２の溝１７に挿入され、透光部材３５の上端部が鍔部３４によって上から押えられている。すなわち、透光部材３５は鍔部３４と突出部１２によって挟持されている。
【００５１】
透光部材３５の上端部には、鍔部３４を支持する凹部５１が形成されている。そして、透光部材３５は、突出部１２の全周にわたって突出部１２と鍔部３４の間に設けられている。つまり、突出部１２と鍔部３４とに囲まれた、第２発光モジュール３１が設置される空間は、透光部材３５によって閉じられている。また、透光部材３５の軸方向長さは、天井面１０１から突出部１２の先端部における第２面１３Ｂまでの長さに対応している。このため、照明装置１０では、透光部材３５の上端と鍔部３４の一部とが天井面１０１に当接する。照明装置１０と天井面１０１との隙間を塞ぐため、透光部材３５の上端、および鍔部３４と天井面１０１との間にパッキンを挿入してもよい。
【００５２】
透光部材３５は、第２発光モジュール３１の光を拡散させずに透過させる透明な部材であってもよく、第２発光モジュール３１の光を拡散透過させる乳白色の部材であってもよい。光を拡散透過させる乳白色の部材としては、カバー２５の場合と同様に、光拡散用のフィラーまたはボイドを含有する樹脂製の透光部材を用いることができる。
【００５３】
拡散透過型の透光部材３５を用いる場合は、第２発光モジュール３１の光を反射する第２面１３Ｂを鏡面反射面としてもよい。或いは、透明な透光部材３５を用いて、第２面１３Ｂを拡散反射面としてもよい。いずれの場合も、透光部材３５を透過する間接照明光を拡散光として輝点を解消できる。一方、第２面１３Ｂを鏡面反射面とし、かつ透明な透光部材３５を用いてもよい。この場合、第２発光モジュール３１の光が遠くまでとどくので、例えば部屋の壁面を明るく照らすことができる。
【００５４】
以下、図４〜図７を参照しながら、実施形態の他の一例である照明装置６０，７０，８０，９０について説明する。図４〜図７は、図１に対応する断面図であるが、図１よりも簡略化している。以下では、上述の実施形態と同様の構成要素には同じ符号を用いて重複する説明を省略し、上述の実施形態との相違点を主に説明する。なお、本明細書で説明する複数の実施形態の各構成要素を選択的に組み合わせることは当初から想定されている。
【００５５】
図４に例示するように、照明装置６０の間接照明光発光部６１は、第２発光モジュール３１、鍔部３４、および透光部材３５を備える点で、照明装置１０の間接照明光発光部３０と共通する。第２発光モジュール３１、鍔部３４、および透光部材３５は、装置本体１１の全周にわたって設けられることが好ましい（以下の実施形態についても同様）。
【００５６】
一方、間接照明光発光部６１では、第２発光モジュール３１が突出部１２の天井面１０１側に向いた第２面１３Ｂに取り付けられている点で、間接照明光発光部３０と異なる。第２発光モジュール３１を第２面１３Ｂに取り付けた場合、第２発光素子３２が直視されることがなく、グレア感を低減し易い。また、第２発光素子３２が天井面１０１側に向いているため、天井面１０１を明るく照らすことが可能である。
【００５７】
間接照明光発光部６１では、鍔部３４の下面３４Ａが第２発光モジュール３１から出射される光の反射面として機能する。この場合、グレア感を抑えるため、鍔部３４の下面３４Ａに拡散反射機能を持たせるか、透光部材３５に拡散透過機能を持たせることが好ましい。図４に示す例では、第２発光モジュール３１を固定する部分として、表面が平坦な台座部６２を突出部１２の第２面１３Ｂに設けている。なお、第２発光モジュール３１にフレキシブル基板を適用し、第２発光モジュール３１を第２面１３Ｂに沿って湾曲した状態で取り付けてもよい。
【００５８】
図５に例示するように、照明装置７０の間接照明光発光部７１は、第２発光モジュール３１が装置本体１１の径方向外側を向いた状態で設けられている点で、照明装置１０の間接照明光発光部３０と異なる。第２発光モジュール３１は、第２発光素子３２が実装された第２基板３３の面を装置本体１１の径方向外側に向けた状態で、空間５０に配置されている。この場合、第２発光モジュール３１から出射される光の多くが、反射過程を経ることなく透光部材３５を透過して出射されるので、光学ロスをさらに低減できる。第２発光モジュール３１には、フレキシブル基板が適用されてもよい。
【００５９】
図５に示す例では、突出部１２の第２面１３Ｂに立設した立壁部７２に第２発光モジュール３１が固定されている。立壁部７２は、天井面１０１に対して略垂直に、かつ突出部１２の全周にわたって形成されることが好ましい。立壁部７２は、装置本体１１の一部として装置本体１１と一体成形されているが、鍔部３４に設けられていてもよく、装置本体１１および鍔部３４と別の部材で構成されていてもよい。
【００６０】
図６に例示するように、照明装置８０の間接照明光発光部８１は、第２発光素子８３の光を空間５０の全周に導く導光チューブ８４を備える点で、照明装置１０の間接照明光発光部３０と異なる。導光チューブ８４を用いることにより、第２発光素子８３の数が少なくても、突出部１２の全周にわたって均一な間接照明光を出射可能である。１つの第２発光素子８３と、１本の導光チューブ８４とで第２発光モジュール８２を構成することも可能である。なお、第２発光モジュールとして、有機ＥＬ等の面光源を用いてもよい。
【００６１】
図７に例示するように、照明装置９０の間接照明光発光部９１は、第２発光モジュール３１の光が照射される突出部１２の第２面１３Ｂに形成された蓄光層９２を備える点で、照明装置１０の間接照明光発光部３０と異なる。蓄光層９２は、第２面１３Ｂに蓄光材料を含有する塗膜を形成することにより、或いは蓄光材料を含有するシートを貼付することにより設けることができる。この場合、蓄光層９２が発光することで、間接照明光の均一性を高めることができる。また、蓄光層９２の発光により、消灯時においても明かりを確保できる。
【００６２】
なお、照明装置の実施形態として、第２の発光モジュール３１が円環状の場合を例示したが、その形状は円環状に限定されない。例えば、天井１００に矩形状の埋め込み穴１０３が形成されている場合、照明装置１０が矩形であり、第２の発光モジュール３１が矩形環状であってもよい。この場合も、上述の構成と同等の効果を得ることができる。
【符号の説明】
【００６３】
１０，６０，７０，８０，９０  照明装置、１１  装置本体、１２  突出部、１３  筒壁部、１３Ａ  第１面、１３Ｂ  第２面、１４  天板部、１５  張り出し部、１６  支柱、１７  溝、１８  パッキン、２０  主照明光発光部、２１  第１発光モジュール、２２  第１発光素子、２３  第１基板、２４  ホルダ、２５  カバー、３０，６１，７１，８１，９１  間接照明光発光部、３１，８２  第２発光モジュール、３２，８３  第２発光素子、３３  第２基板、３４  鍔部、３５  透光部材、３６，３７，４４  締結部材、３８，５１  凹部、４０  取り付け金具、４１  ベース部、４２  アーム部、４３  取り付けバネ、５０  空間、５１  凹部、７２  立壁部、８４  導光チューブ、９２  蓄光層、１００  天井、１０１  天井面、１０２  天井裏空間、１０３  埋め込み穴
【図１】
2018147779.tif 000003
【図２】
2018147779.tif 000004
【図３】
2018147779.tif 000005
【図４】
2018147779.tif 000006
【図５】
2018147779.tif 000007
【図６】
2018147779.tif 000008
【図７】
2018147779.tif 000009